(57)【要約】【課題】屋内の開口部の開口幅は様々であったとしても、１種類の補助扉で対応できるようにすることを課題とする。【解決手段】建物内部の開口部１に開閉自在に設けられ、開閉用の把手３が設けられた屋内扉２と、屋内扉２に併設して開口部１に蝶着された補助扉４とで構成され、その側面に沿って凹設され、下端に当接底部７が形成された凹溝６を有する蝶着部材５と、前記当接底部７に当接するようにして凹溝６に挿入された切断可能な面板８とで補助扉４が構成されていることを特徴とするものである。【選択図】図１
2010180671.tif 000002
【特許請求の範囲】
【請求項１】
建物内部の開口部に開閉自在に設けられ、開閉用の把手が設けられた屋内扉と、
屋内扉に併設して開口部に蝶着され、その側面に沿って凹設され、下端に当接底部が形成された凹溝を有する蝶着部材と、前記当接底部に当接するようにして凹溝に挿入された切断可能な面板とで構成された補助扉とで構成されていることを特徴とする室内補助扉構造。
【請求項２】
補助扉の上端が把手より下に設けられていることを特徴とする請求項１に記載の室内補助扉構造。
【請求項３】
補助扉の上端が把手より上まで設けられており、補助扉の面板の把手側上端角部が把手に干渉しないように切除されていることを特徴とする請求項１に記載の室内補助扉構造。
【請求項４】
補助扉の上端が把手より上まで設けられており、補助扉の面板の把手側角部に把手に一致してくりぬき孔が穿設されていることを特徴とする請求項１に記載の室内補助扉構造。
【請求項５】
請求項１の蝶着部材が開口部の両側に取り付けられており、蝶着部材の凹溝それぞれに面板が挿入されていることを特徴とする両開き構造の室内補助扉構造。
【請求項６】
建物内部の開口部に開閉自在に設けられ、開閉用の把手が設けられた屋内扉と、
屋内扉に併設して開口部に取り付けられ、その上端が把手よりも低い収納部と、前記収納部に引き出し・収納可能にて収納部内に巻着保持されたロールスクリーンと、ロールスクリーンを引き出したときに引き出されたロールスクリーンの引き出し端を保持する保持部材とで構成されたことを特徴とする室内補助扉構造。
【発明の詳細な説明】
【技術分野】
【０００１】
本発明はペットが部屋から自由に飛び出さないようにした室内用補助扉構造に関する。
【背景技術】
【０００２】
最近、マンションや一戸建ての室内でペットを買う家庭が増えているが、廊下や室内を自由に歩行させるようにしておくと、急に部屋から飛び出したり、家屋中を走り回ることがあり、家人が知らない間に赤ん坊や幼児に乗り掛かったり、衝突したりすることがあり、特に赤ん坊や幼児がいる家庭では危険であるということもあって、そのうちの一室をペット専用の部屋としていることが多い。
【０００３】
しかしながらペット専用の部屋とすると、常時、室内扉を閉じておかなければならずペットにストレスを与えるだけでなく、室内全体の換気も制限されてそこに住む人にも閉塞感を与えるというような問題がある。そこで、室内扉に併設して室内の開口部に取り付けられ、閉扉時、室内の開口部の下部を閉じ、上部を開放する背の低い補助扉を設ければよく、その際に参考となるのが特許文献に記載されている玄関ドア用の補助扉セットである。この補助扉セットは玄関ドアの取っ手より低い高さに設定され、玄関扉を開けた状態で玄関口を補助的に閉じるというもので、玄関からペットや幼児の屋外への不意の飛び出しを防止したり、外部からの人の侵入を一時的に防止する防犯効果、或いは玄関からの風の通り抜けを許容するというようなものである。しかしながら、このような補助扉セットは、既設の建物に後から付設されるものであるから、どのような寸法の玄関口でも取り付けることができるようになっていなければならない。それ故、玄関口の構造に合わせて補助扉用の立枠や支持柱などを別途用意しなければならない。この点、屋内の開口部も同様で開口幅はまちまちであるため、屋内の開口部に補助扉を設置しようとすると同様の問題に突き当たることになる。
【先行技術文献】
【特許文献】
【０００４】
【特許文献１】特開２０００−５４７３９
【発明の概要】
【発明が解決しようとする課題】
【０００５】
本発明はこのような問題点に鑑みてなされたもので、屋内の開口部の開口幅は様々であったとしても、１種類の補助扉で対応できるようにすることをその課題とするものである。
【課題を解決するための手段】
【０００６】
請求項１に記載の室内補助扉構造は、
建物内部の開口部１に開閉自在に設けられ、開閉用の把手３が設けられた屋内扉２と、屋内扉２に併設して開口部１に蝶着された補助扉４とで構成され、
その側面に沿って凹設され、下端に当接底部７が形成された凹溝６を有する蝶着部材５と、前記当接底部７に当接するようにして凹溝６に挿入された切断代を有する面板８とで補助扉４が構成されていることを特徴とするものである。
【０００７】
請求項２は請求項１に記載の室内補助扉構造において、補助扉４の上端８ａが把手３より下に設けられていることを特徴とする。
【０００８】
請求項３は請求項１に記載の室内補助扉構造において、補助扉４の上端８ａが把手３より上まで設けられており、補助扉４の面板８の把手側上端角部８ｃが把手３に干渉しないように切除されていることを特徴とする。
【０００９】
請求項４は請求項１に記載の室内補助扉構造において、補助扉４の上端８ａが把手３より上まで設けられており、補助扉４の面板８の把手側上端角部８ｃに把手３に一致してくりぬき孔９が穿設されていることを特徴とする。
【００１０】
請求項５は両開き構造の補助扉構造で、蝶着部材５１、５２が開口部１の両側に取り付けられており、蝶着部材５１、５２の凹溝６１、６２それぞれに面板８１、８２が装着されていることを特徴とする。
【００１１】
請求項６はロールスクロール部材１０を補助扉４に利用したもので、建物内部の開口部１に開閉自在に設けられ、開閉用の把手３が設けられた屋内扉２と、
屋内扉２に併設して開口部１に取り付けられ、その上端１０ａが把手３よりも低い収納部１１と、前記収納部１１に引き出し・巻取り収納可能にて収納部１１内に巻着保持されたロールスクリーン１２と、ロールスクリーン１２を引き出したときに引き出されたロールスクリーン１２の引き出し端１３を保持する保持部材１４とで構成されたことを特徴とする。
【発明の効果】
【００１２】
本発明は補助扉４として蝶着部材５(５１、５２)に溝着された面板８(８１、８２)とで構成しているので、開口部１に補助扉４が適合しない場合、必要に合わせて面板８(８１、８２)の切断代を現場にて裁断し、裁断部分を蝶着部材５(５１、５２)の凹溝６(６１、６２)内に嵌め込んで寸法合わせをすることができ、１種類の補助扉４であらゆる開口部１に対応することができる。また、蝶着部材５(５１、５２)の凹溝６(６１、６２)の下端に当接底部７が設けられているので、この当接底部７に面板８(８１、８２)を当接させるようにするだけで正確且つ均一な取付加工が現場で容易にできるようになる。また、ロールスクロール部材１０を補助扉４として使用した場合、ロールスクロール部材１０の引き出しに長さを調整すればあらゆる開口部１に対応することができ、上記のような現場加工も不要となる。
【図面の簡単な説明】
【００１３】
【図１】本発明の第１実施例の正面図である。
【図２】図１の平断面図である。
【図３】本発明の第２実施例の正面図である。
【図４】本発明の第３実施例の正面図である。
【図５】本発明の第４実施例の正面図である。
【図６】本発明に使用する蝶番部材の斜視図である。
【図７】本発明の補助扉の一例の斜視図である。
【図８】本発明の補助扉の他の例の斜視図である。
【図９】スクロール部材収納時を示す本発明の第５実施例の正面図である。
【図１０】スクロール部材引き出し時を示す正面図である。
【図１１】図９の平断面図である。
【発明を実施するための形態】
【００１４】
以下、本発明を図示実施例に従って詳述する。本発明に使用される補助扉４は屋内の開口部１、例えば、隣接した部屋を結ぶ部分や、部屋と廊下を結ぶ部分に設けられる。開口部１の幅Ｗは部屋の大きさや建て方或いは地方によって微妙に異なっている。そして開口部１には室内扉２が蝶番２０，２０で開閉可能に取り付けられている。
【００１５】
図１、２は補助扉４の第１実施例で、蝶着部材５と面板８とで構成されている。蝶着部材５は図６に示すように金属製の部材本体５イと部材本体５イの背面に上下にて螺子着により設けられた一対の蝶番５ロ、５ロとで構成され、部材本体５イには螺子着面の反対の側面のほぼ全長にわたって上端が開口した凹溝６が凹設されており、凹溝６の下端には当接底部７が形成されている。そして部材本体５イの正面或いは裏面またはその両方に皿ビス孔５ハが等間隔で複数個穿設されている。
【００１６】
面板８は凹溝６に収納される厚みで形成された木質板、樹脂板などの建築現場における切断容易な部材で形成され、凹溝６への挿入側に切断代Ｔが設けられている。また、面板８の部材本体５イに対する非取付側端部の上部には鍵１５が設けられている。本実施例の補助扉４はその上端８ａが把手３よりも低い位置に設けられており、把手３の操作に支障をきたすことはない。室内扉２は通常開放状態になっている。
【００１７】
部材本体５イの背面に設けられた蝶番５ロ、５ロは開口部１の一方の内側側面に螺子着され、補助扉４の閉扉時、開口部１の把手３から下の部分を閉塞することになるが、面板８の下端８ｂは開口部１の下縁直上まで伸びており、下縁との隙間は小さく小型のペットが脱出できないようになっている。また、補助扉４の閉扉時、鍵１５を掛けて補助扉４が開かないようになっている。補助扉４の開閉方向は、図２に示すように室内扉２の反対側に開閉するようになっている。
【００１８】
ここで補助扉４の開口部１の設置について説明すると、補助扉４が設置される開口部１の開口幅Ｗを計測し、面板８が開口幅Ｗに適合するかどうかを調べる。適合する場合は、そのまま面板８の嵌込側端部８５を部材本体５イの凹溝６に嵌め込み、面板８の下端８ｂを当接底部７に当接させその状態でビス止めし、所定位置に蝶番５ロ、５ロを螺子着する。
【００１９】
不適合の場合は、開口幅Ｗに合わせて嵌込側端部８５の切断代Ｔを切除し、然る後、前述同様、部材本体５イにビス止めする。この時、切断部分が凹溝６に嵌り込み、切断木口が外部に露出しないし、当接底部７の存在により正確かつ簡単に上・下端を合わせて面板８が部材本体５イに装着されることになる。このように組み立てられた補助扉４の蝶番５ロ、５ロを開口部１の内側側面の所定位置にビス止めする。
【００２０】
このようにしておけば、室内扉２を開放していても、補助扉４を閉じておきさえすれば室内からペットが飛び出すようなことはない。
【００２１】
図３は第２実施例で、補助扉４の上端８ａが把手３より上まで設けられており、補助扉４の面板８の把手側上端角部８ｃが把手３に干渉しないように切除されているものであり、その他については第１実施例１と同じである。また、図４は第３実施例で、補助扉４の上端８ａが把手３より上まで設けられており、補助扉４の面板８の把手側上端角部８ｃに把手３に一致してくりぬき孔９が穿設されている点が相違するのみであり、やはりその他については第１実施例１と同じである。くりぬき孔９の形状は把手３に干渉しないようなものであれば足り、別段その形状は問われない。本実施例では半月型で、その円弧に沿って飾り孔９ａが３箇所穿設されている。
【００２２】
図５は第４実施例で、両開き構造の補助扉構造である。蝶着部材５１、５２は第１実施例と同じものが使用され、開口部１の両側に取り付けられている。面板８１、８２の幅は第１実施例の２分の１であり、面板８１、８２には床面に対する例えば「落とし棒と受け具」のような脱着可能な係止部材５６、５７が取り付けられている。係止部材５６、５７が床面に差し込み固定されている場合、補助扉５１，５２は開かないように固定される。
【００２３】
図８は部材本体５イとして木質系の物を使用した例で、場合によってはこの部分を切除することもできる。切断位置を破線Ｓで示す。
【００２４】
図９〜１１は第５実施例で、ロールスクロール部材１０を補助扉４に利用したものである。この場合もロールスクロール部材１０は把手３よりも低く設定されている。ロールスクロール部材１０は収納部１１、収納部１１に巻き取り収納・引き出し可能なロールスクリーン１２とで構成されており、収納部１１が開口部１の一方の内側側面に設置され、反対側の内側側面に例えばマグネットキャッチのような保持部材１４、１４が設けられている。そしてロールスクリーン１２を引き出したときに引き出されたロールスクリーン１２の引き出し端１３が保持部材１４に保持され、開口部１の下部を閉じる。ロールスクリーン１２は保持を解除すると収納部１１内に巻き取られる。
【符号の説明】
【００２５】
１     開口部
２     屋内扉
３     把手
４     補助扉
８ａ   補助扉の上端
５、５１、５２       蝶着部材
６、６１、６２       凹溝
７     当接底部
８、８１、８２       面板
８ｃ   面板の把手側上端角部
９     くりぬき孔
１０   ロールスクロール部材
１０ａ ロールスクロール部材の上端
１１   収納部
１２   ロールスクリーン
【図１】
2010180671.tif 000003
【図２】
2010180671.tif 000004
【図３】
2010180671.tif 000005
【図４】
2010180671.tif 000006
【図５】
2010180671.tif 000007
【図６】
2010180671.tif 000008
【図７】
2010180671.tif 000009
【図８】
2010180671.tif 000010
【図９】
2010180671.tif 000011
【図１０】
2010180671.tif 000012
【図１１】
2010180671.tif 000013